(57)【要約】【課題】解剖学的構造の少なくとも一部に関する情報を得る装置および方法が提供可能である。【解決手段】例えば、少なくとも１つの第１の配置構成を用いて少なくとも１つの第１の電磁放射を少なくとも一部に送ることができる。さらに少なくとも１つの第２の配置構成を用いて、試料から少なくとも１つの第２の電磁放射を検出することができ、第２の電磁放射は第１の電磁放射に関連される。第２の配置構成は複数の積分時間において第２の電磁放射に関連されるデータを得るために用いられることができる。さらに少なくとも１つの第３の配置構成を用いて、第２の電磁放射を用いて一部内の深度の関数として少なくとも１つの動きの性質を決定可能である。動きの性質は第２の電磁放射に関連付けられたデータを得ることによって決定可能である。データは第２の配置構成によって検出されたスペックルデータであってもよい。【選択図】図５
2010503475.tif 000002
【特許請求の範囲】
【請求項１】
解剖学的構造の少なくとも一部に関する情報を得る装置であって、
少なくとも１つの第１の電磁放射を前記少なくとも一部に送るように構成される、少なくとも１つの第１の配置構成と、
少なくとも１つの試料から少なくとも１つの第２の電磁放射を検出するように構成される少なくとも１つの第２の配置構成であって、前記少なくとも１つの第２の電磁放射は前記少なくとも１つの第１の電磁放射に関連され、前記少なくとも１つの第２の配置構成は、複数の積分時間において、前記少なくとも１つの第２の電磁放射に関連されるデータを得る、少なくとも１つの第２の配置構成と、
前記少なくとも１つの第２の電磁放射を用いて、前記少なくとも一部内の深度の関数として、少なくとも１つの動きの性質を決定するように構成される、少なくとも１つの第３の配置構成であって、前記少なくとも１つの第３の配置構成は、前記少なくとも１つの第２の電磁放射に関連されるデータを得ることによって、前記少なくとも１つの動きの性質を決定し、前記データは前記少なくとも１つの第２の配置構成によって検出されるスペックルデータである、少なくとも１つの第３の配置構成と、
を備える、装置。
【請求項２】
前記データは、前記少なくとも一部のうちの少なくとも一部分の画像である、請求項１に記載の装置。
【請求項３】
前記少なくとも１つの第３の配置構成は、前記データのコントラストを決定するようにさらに構成される、請求項１に記載の装置。
【請求項４】
前記コントラストは、前記少なくとも一部上の前記少なくとも１つの第１の電磁放射の接触点からの照射の距離の関数として決定される、請求項３に記載の装置。
【請求項５】
前記少なくとも１つの第３の配置構成は、前記積分時間において収集されたデータの、少なくとも１つの非相関関数を決定するようにさらに構成される、請求項１に記載の装置。
【請求項６】
前記少なくとも１つの非相関関数は、前記少なくとも一部上の前記少なくとも１つの第１の電磁放射の接触点からの照射の距離の関数として決定される、請求項５に記載の装置。
【請求項７】
前記少なくとも１つの第３の配置構成は、前記積分時間において収集されたデータの、前記少なくとも１つの非相関関数の少なくとも１つの時定数を決定するようにさらに構成される、請求項５に記載の装置。
【請求項８】
前記少なくとも１つの第３の配置構成は、前記データに基づいて前記少なくとも一部の光学的性質を決定するようにさらに構成される、請求項１に記載の装置。
【請求項９】
前記少なくとも１つの第３の配置構成は、前記光学的性質の関数として、前記少なくとも一部の少なくとも一部分の前記少なくとも１つの動きの性質、および前記積分時間において収集された前記データの前記少なくとも１つの非相関関数の時定数を決定するようにさらに構成される、請求項８に記載の装置。
【請求項１０】
前記光学的性質は、拡散反射率分光光度法手順を用いて、前記積分時間において収集された前記データに基づいて決定される、請求項８に記載の装置。
【請求項１１】
前記少なくとも１つの第１の配置構成は、前記少なくとも１つの第１の電磁放射の、少なくとも１つの可変パルス持続時間または可変電力を提供するようにさらに構成される、請求項１に記載の装置。
【請求項１２】
前記少なくとも１つの第２の配置構成は、前記少なくとも１つの第２の電磁放射を検出するために、少なくとも１つの可変シャッタ、可変積分時間、または可変の利得を提供するようにさらに構成される、請求項１に記載の装置。
【請求項１３】
前記少なくとも１つの第１の配置構成または前記少なくとも１つの第２の配置構成のうちの少なくとも１つと協動するように構成されるシャッタ構成をさらに備える、請求項１に記載の装置。
【請求項１４】
前記シャッタ構成は、（ｉ）前記少なくとも１つの第１の配置構成と前記少なくとも一部との間、または（ｉｉ）前記少なくとも一部と前記少なくとも１つの第２の配置構成との間、のうちのいずれかに提供される、請求項１３に記載の装置。
【請求項１５】
前記少なくとも１つの第２の電磁放射を用いて、前記試料から交差偏光された光を検出するように構成された偏光の配置構成をさらに備える、請求項１に記載の装置。
【請求項１６】
前記少なくとも一部上において、複数の位置を照射するために、前記少なくとも１つの第１の電磁放射を受け取り、複数の第３の電磁放射を生成するように構成された、少なくとも１つの第４の配置構成をさらに備え、
前記少なくとも１つの第２の配置構成は、前記第３の電磁放射に基づいて、前記少なくとも１つの試料から前記少なくとも１つの第２の電磁放射を検出するように構成され、
前記少なくとも１つの第３の配置構成は、前記少なくとも１つの第２の電磁放射の関数としての前記少なくとも一部の複数の位置に対する、深度の関数としての複数の動きの性質を決定するようにさらに構成される、請求項１に記載の装置。
【請求項１７】
前記少なくとも１つの第３の配置構成は、前記動きの性質の関数として、前記少なくとも一部の少なくとも１つの画像を生成するようにさらに構成される、請求項１に記載の装置。
【請求項１８】
前記少なくとも１つの第３の配置構成は、モンテカルロの手順、拡散方程式の手順、または確率分散関数の手順のうちの少なくとも１つを用いて、前記少なくとも１つの動きの性質に関連付けられた前記少なくとも一部の深度を決定するようにさらに構成される、請求項９に記載の装置。
【請求項１９】
前記第１、第２、および第３の配置構成は、一体型の手持ち式ユニットにおいて提供される、請求項１に記載の装置。
【請求項２０】
解剖学的構造の少なくとも一部に関する情報を得る装置であって、
少なくとも１つの第１の電磁放射を前記少なくとも一部に送るように構成される、少なくとも１つの第１の配置構成と、
少なくとも１つの試料から少なくとも１つの第２の電磁放射を検出するように構成される少なくとも１つの第２の配置構成であって、前記少なくとも１つの第２の電磁放射は前記少なくとも１つの第１の電磁放射に関連される、少なくとも１つの第２の配置構成と、
前記少なくとも１つの第２の電磁放射を用いて、前記少なくとも一部内の深度の関数として、少なくとも１つの動きの性質を決定するように構成される、少なくとも１つの第３の配置構成であって、前記少なくとも１つの第３の配置構成は、前記少なくとも１つの第２の電磁放射に関連されるデータを得ることによって、前記少なくとも１つの動きの性質を決定し、前記データは前記少なくとも１つの第２の配置構成によって検出されるスペックルデータであり、前記少なくとも１つの第３の配置構成は、前記データに基づいて、前記少なくとも一部の光学的性質を決定するようにさらに構成される、少なくとも１つの第３の配置構成と、
を備える、装置。
【請求項２１】
前記少なくとも１つの第３の配置構成は、前記光学的性質の関数として、前記少なくとも一部のうちの少なくとも一部分の前記少なくとも１つの動きの性質、および前記データの前記少なくとも１つの非相関関数の時定数を決定するようにさらに構成される、請求項２０に記載の装置。
【請求項２２】
前記光学的性質は、拡散反射率分光光度法手順を用いて、前記積分時間において収集された前記データに基づいて決定される、請求項２０に記載の装置。
【請求項２３】
解剖学的構造の少なくとも一部に関する情報を得る装置であって、
少なくとも１つの第１の電磁放射を前記少なくとも一部に送るように構成される、少なくとも１つの第１の配置構成と、
少なくとも１つの試料から少なくとも１つの第２の電磁放射を検出するように構成される少なくとも１つの第２の配置構成であって、前記少なくとも１つの第２の電磁放射は前記少なくとも１つの第１の電磁放射に関連される、少なくとも１つの第２の配置構成と、
前記少なくとも１つの第２の電磁放射を用いて、前記少なくとも一部内の深度の関数として、少なくとも１つの動きの性質を決定するように構成される、少なくとも１つの第３の配置構成であって、前記少なくとも１つの第３の配置構成は、前記少なくとも１つの第２の電磁放射に関連されるデータを得ることによって、前記少なくとも１つの動きの性質を決定し、前記データは前記少なくとも１つの第２の配置構成によって検出されるスペックルデータである、少なくとも１つの第３の配置構成と、
前記少なくとも一部上において、複数の位置を照射するために、前記少なくとも１つの第１の電磁放射を受け取り、複数の第３の電磁放射を生成するように構成された、少なくとも１つの第４の配置構成をさらに備え、前記少なくとも１つの第２の配置構成は、前記第３の電磁放射に基づいて、前記少なくとも１つの試料から前記少なくとも１つの第２の電磁放射を検出するように構成され、前記少なくとも１つの第３の配置構成は、前記少なくとも１つの第２の電磁放射の関数としての前記少なくとも一部の複数の位置に対する、深度の関数としての複数の動きの性質を決定するようにさらに構成される、少なくとも１つの第４の配置構成と、
を備える、装置。
【発明の詳細な説明】
【技術分野】
【０００１】
（関連出願の相互参照）
本出願は、２００６年９月１２日に出願の米国特許出願第６０／８４４，３０２号の優先権の利益を主張し、その開示全体は引用により本明細書に援用される。
【０００２】
（発明の分野）
本発明は、解剖学的構造に関連する情報を取得する装置、プローブ、および方法に関し、より詳細には、異なる深度において、例えば、火傷による損傷を含む損傷についての情報を検査するために、そのような解剖学的構造の評価を提供することができる装置、プローブ、および方法に関する。
【背景技術】
【０００３】
火傷の初期の迅速な診断および治療により、命を救うことができる。火傷の深度は臨床検査によって診断されるが、その臨床検査は火傷について経験豊かな外科医または医師が検査した場合であってもおよそ５０％の正確性しか有しない場合がある。火傷による損傷を診断する特定の方法が提案されているが、非侵襲的に患者の火傷の深度を決定するために用いることができる、広く認可された診断方法または診断システムは存在しない。外因性蛍光色素、放射性同位体、色素吸収、高周波数超音波、レーザドップラー流量計および画像化、ならびに反射率分光法などの多くの技術および／装置が、火傷の深度を測定するために記載されている。これらの技術／装置の少なくとも一部は、火傷の損傷後の初期段階での正確性の無さ、長引く測定時間、患者に有毒性である可能性などを含む、著しい不都合を有する場合がある。さらに、そのような従来の装置の多くは、扱い辛くかつ高価であるので、その結果、一般の開業医、緊急治療室の医師、または当該分野における医療人員によって用いられない可能性が高い。
【０００４】
熱傷を受けると、通常は、肌の外側の部分は取り返しのつかない損傷（痂皮）を受け、その部分への血液の供給が失われる可能性がある。火傷の深度（例えば痂皮層の厚さ）が毛包および汗管の基部を含まない場合、その火傷は、血管の真皮上部に位置する、皮膚付属器腫瘍から生じる上皮細胞によって、肌表面の細胞収集により治癒する場合がある。それゆえ、火傷の解剖学的構造は、無血管の層（痂皮）とそれに覆われる血管の層（生存組織）とからなる２層の媒体としてモデル化することができる（図１に示す）。無血管の層の厚さを測定することができる装置は、火傷の深度の推定を提供し、表皮の再上皮形成の可能性を予測し、初期段階での切除および移植のために、深い火傷を識別することができる。
【発明の概要】
【発明が解決しようとする課題】
【０００５】
このように、上述の従来の配置構成および方法に関する不備の少なくとも一部を克服する必要性が存在する場合がある。
【課題を解決するための手段】
【０００６】
（本発明の例示的実施形態の目的および要約）
上述の問題および／または不備、ならびに他の不備に取り組む、および／または克服するために、異なる深度において、例えば、火傷による損傷を含む損傷についての情報を検査するために、そのような解剖学的構造の評価を提供することができる例示的実施形態の装置、プローブ、および方法が容易になされることができる。
【０００７】
本発明の一例示的実施形態によれば、装置、プローブ、および方法が、少なくとも上述の理由およびその他のために提供可能である。特に、解剖学的構造の少なくとも一部に関する情報を得るための装置および方法の一例示的な実施形態が提供可能である。例えば、少なくとも１つの第１の配置構成を用いて少なくとも１つの第１の電磁放射を少なくとも一部に送ることができる。さらに少なくとも１つの第２の配置構成を用いて、試料から少なくとも１つの第２の電磁放射を検出することができ、第２の電磁放射は第１の電磁放射に関連される。第２の配置構成は複数の積分時間において第２の電磁放射に関連されるデータを得るために用いられることができる。
【０００８】
さらに少なくとも１つの第３の配置構成を用いて、第２の電磁放射を用いて一部内の深度の関数として少なくとも１つの動きの性質を決定可能である。動きの性質は第２の電磁放射に関連付けられたデータを得ることによって決定可能である。データは第２の配置構成によって検出されたスペックルデータであってもよい。さらに第３の配置構成においてデータに基づいて一部の光学的性質を決定することができる。さらに第４の配置構成を用いて一部上の複数の位置に放射するために、第１の電磁放射を受け取り、複数の第３の電磁放射を生成することができる。第２の配置構成は第３の電磁放射に基づいて試料から第２の電磁放射を検出するために用いることができ、第３の配置構成はまた少なくとも１つの第２の電磁放射の関数として、少なくとも一部の複数の位置に対する、深度の関数として、複数の動きの性質を決定するために用いることができる。
【０００９】
本発明の他の例示的実施形態によれば、データは、少なくとも一部の少なくとも一部分の画像であってもよい。第３の配置構成を用いてデータのコントラストを決定することが可能であってもよい。コントラストは、一部上の第１の電磁放射の接触点からの照射の距離の関数として決定されてもよい。さらに、積分時間において収集されたデータの、少なくとも１つの非相関関数を決定することが可能であってもよい。非相関関数は、一部上の第１の電磁放射の接触点からの照射の距離の関数として決定されてもよい。さらに、第３の配置構成を用いて、積分時間において収集されたデータの、非相関関数の少なくとも１つの時定数を決定することが可能でもよい。
【００１０】
本発明のさらに他の例示的実施形態によれば、光学的性質の関数として、一部の少なくとも一部分の動きの性質、および積分時間において収集されたデータの非相関関数の時定数を決定するために、第３の配置構成を用いることが可能である。光学的性質は、拡散反射率分光光度法手順を用いて、積分時間において収集されたデータに基づいて決定されてもよい。さらに、第１の配置構成は、第１の電磁放射の、少なくとも１つの可変パルス持続時間または可変電力を提供するように用いられてもよい。第２の配置構成は、第２の電磁放射を検出するために、少なくとも１つの可変シャッタ、可変積分時間、または可変の利得を提供するように利用されてもよい。
【００１１】
本発明のさらなる他の例示的実施形態によれば、第１の配置構成および／または第２の配置構成と協動するように構成可能であるシャッタ構成が提供可能である。そのシャッタ構成は、第１の配置構成と少なくとも一部との間、および／または一部と第２の配置構成との間に提供されてもよい。第２の電磁放射を用いて、試料から交差偏光された光を検出するように構成され得る偏光の配置構成が提供可能である。さらに、動きの性質の関数として、一部の少なくとも１つの画像を生成するように用いられてもよい。さらに、第３の配置構成は、モンテカルロの手順、拡散方程式の手順、および／または確率分散関数の手順を用いて、動きの性質に関連付けられた一部の深度を決定するように利用可能であってもよい。第１、第２、および第３の配置構成は、一体型の手持ち式ユニットにおいて提供されてもよい。本発明のこれらならびに他の目的、特徴、および利点は、添付の特許請求の範囲と関連して考慮される場合、本発明の以下の実施形態の詳細な記載を読むことで明らかとなる。
【００１２】
さらに、本発明のさらなる目的、特徴、および利点は、本発明の例示的な実施形態を示す添付の図面に関連して記載された以下の詳細な記載から明らかとなる。
【図面の簡単な説明】
【００１３】
【図１】コヒーレント光を用いて組織を照射した場合に、観察され得る粒状の干渉パターンを示す例示的なスペックル画像である。
【図２】本発明の例示的実施形態に係る火傷のモデルの略図である。
【図３】本発明に係る方法の第１の例示的実施形態のフロー図である。
【図４】本発明に係る方法の第２の例示的実施形態のフロー図である。
【図５】本発明に係る装置の例示的実施形態の略図である。
【図６】時間積分レーザスペックル画像を得るために使用可能である、本発明の例示的実施形態に係る光学的配置構成のブロック図である。
【図７】図７（ａ）から（ｄ）は、約５ｍｍ／秒で動く、テフロン（登録商標）の散乱ファントムの例示的実施形態から得られる一連のスペックル画像である。
【図８】実際の速度の関数として、本発明に係る時間積分スペックル装置の例示的実施形態によって測定された相対速度の例示的グラフである。
【図９】本発明に係る、時間積分レーザスペックル画像化（ＬＳＩ）法を実施する小型のプラットフォームの例示的実施形態の図である。
【図１０】図１０（ａ）および（ｂ）は、解剖学的構造の深度を通る光子の伝播およびそれに関連する非相関時間の例示的な図である。
【図１１】半無限の均一組織についての例示的な散乱モデルから計算された理論的な光子の動径方向確率と比較された繊維性プラークに対して実験的に測定された、例示的な光子の動径方向確率のグラフである。
【図１２】動径方向分解の光子侵入度が照射位置から距離の関数として提供されているモンテカルロ・シミュレーションの例示的結果のグラフである。
【図１３】組織構造から測定された平均繊維性被膜の厚さの関数として提供された例示的な侵入深度のグラフである。
【発明を実施するための形態】
【００１４】
図面を通して、特段の記載がなければ、同様の参照符号および特性は、図示された実施形態のうちの類似の特徴、要素、構成要素、または部分を示すために用いられる。さらに、ここで本発明は図面を参照して詳細に記載されるが、それは例示的な実施形態に関連して記載される。添付の特許請求の範囲によって規定されるように、本発明の真なる範囲および趣旨から逸脱することなく、変更および修正が記載の実施形態になされ得ることが意図される。
【００１５】
（一般的な議論）
痂皮の厚さを測定するための、非侵襲の一例示的方法は、レーザスペックルパターンの時空間的分析である。この例示的な方法の関連資料は、Ｓａｄｈｗａｎｉ，ＡらのＡｐｐｌ．Ｏｐｔ．３５（２８）：５７２７−５７３５、１９９６年、Ｎａｄｋａｒｎｉ，ＳらのＪｏｕｒｎａｌ  ｏｆ  Ｂｉｏｍｅｄｉｃａｌ  Ｏｐｔｉｃｓ  １１（２）：０２１００６、および２００１年１０月３０日出願の米国特許出願第１０／０１６，２４４号に記載される。
【００１６】
例えば、スペックルは、（図１の例に示すような）コヒーレント光で組織を照射した場合に観察され得る粒状の干渉パターンである。火傷の表面に形成されるスペックルパターンは皮膚の微視的構造によって測定可能であり、組織内の粒子の動きを高度に検知できる場合がある。その結果、血管組織を横断した光から形成されたスペックルパターンは一時的に変調され得る。対照的に、無血管（痂皮）の領域のみを横断する光から形成されたスペックルパターンは、通常、時間が経過しても一定のままである。例えば、組織が細い直径のビームで照射された場合、その組織へとより深く伝播した光子は、光源入り口点からさらに離れて組織から抜け出る可能性がより高い。それゆえ、火傷の表面上に形成されたレーザスペックルパターンの二次元画像は、静的なスペックルパターンを有する中央領域および変調されたスペックルパターンを有する周囲領域を含むはずである。痂皮の光学的性質の知識によって、その静的な領域の動径の測定により、その痂皮の厚さが測定できるはずである。加えて、変調されたスペックルパターンの時間的相関により、生存している層における組織の血液の流れ（ｐｅｒｆｕｓｉｏｎ）の推定量を提供してもよい。
【００１７】
スペックルパターンの変動を測定する様々な異なる例示的方法、例えば時間変動測定および時間積分測定などが存在する。時間変動スペックルは、スペックルパターンが非相関である、特徴的な時定数Ｔｄによって記載可能である。ブラウン運動または流れを受けない静的な試料は、静的なスペックルパターンを恐らく有し、高度に非相関の時定数を生じる。時間平均スペックルは、σ（ρ，Ｔ）／＜Ι（ρ，Ｔ）＞として規定されるスペックルコントラストと呼ばれる量によって特徴付けられることができ、ここでＴはスペックルパターンの積分時間（カメラの露出時間または光源の照射期間）であり、ρは入射ビームからの距離である。静的な試料において、高いコントラストのスペックル画像が観察される。試料における分散が移動中の場合、恐らく不鮮明なスペックルパターンとなり、したがって、スペックルコントラストを低下させる。時間積分スペックルパターン分析のために、非相関時定数は以下の例示的な式を解くことによって非相関関数をまず決定することによって得ることができる。
【数１】
2010503475.tif 000003
ここでＴは積分時間であり、ｃ（Ｔ）は測定された時間積分コントラストであり、Ｃ（ｔ）は非相関関数である。
【００１８】
組織への一点照射によって形成された時間積分または時間分解のスペックルパターンの例示的な時空的分析が深度分解情報を得るために用いられることが可能である。放射輸送方程式に対するモンテカルロ・シミュレーションおよび解析解は、（図２に示されるように）光が差し込んだ深度に比例する動径にて現われるように、光が照射位置から外側に向けて動径方向に（ｒａｄｉａｌｌｙ）拡散することを示す。例えば、図２に示されるように、光２００が試料２０５に入射される。従って、光源の位置ρ２１０からの動径方向距離の関数としてのスペックル変調の分析は、試料２０５内における深度の関数として、組織の血液の流れに関する特定の情報を提供することができる。なぜならば、火傷の組織または痂皮２２０は壊死しているので、恐らく血液の流量が少ない動きであり、したがって一時的に静的なスペックルパターン２３０である。反対に、血管組織２４０を横断した光から形成されたスペックルは、恐らく一時的に変調されている（２５０）。それゆえ、火傷の損傷がもたらしたスペックルパターンは、壊死した組織の深度に対応する動径内の高いスペックル非相関の時定数を現すはずである。この動径の外側においては、光は、血液が流れている組織２０５を通して伝播し、その結果、これらの領域において低い時定数となる。これらの時定数が遷移する複数の動径が、通常生じ、光が差し込む深度は恐らく、組織の光学的性質によって関連される。有利なことに、これらの光学的性質は、拡散反射率分光光度法の例示的な技術を介した時間平均スペックルパターンを用いることによって測定されてもよい。深度の関数としての速度プロファイルは、例えば、測定された光学パラメータおよび時定数の動径などを用いることによって得られることができる。これらの深度分解の速度プロファイルは、拡散理論またはモンテカルロ・モデル化など、散乱媒質における光の光輸送のための例示的なモデルを用いることによって決定されてもよい。
【００１９】
図３は、本発明に係る時間分解スペックルを用いた深度分解の速度分布を収集する手順または方法の第１の例示的な実施形態を示す。例えば、時間的コヒーレンスを有する光が、ステップ３００において、問題となる組織に差し込まれる。ＣＣＤカメラ、ＣＭＯＳカメラなどが、ステップ３１０において、時間の関数として一連の画像を得ることができる。ステップ３２０において、非相関の曲線は、時間領域またはフーリエ領域のいずれかにおける画像の残りと第１の画像との時間的非相関を用いることによって一連の画像から決定されることができる。一例示的実施形態において、複数の非相関の画像は、ｍ×ｎのウィンドウを用いて、ビーム入り口点からの距離のさらなる関数として得られてもよく、ここでウィンドウは、ρすなわちビーム照射点からの距離に中心があってもよい。時定数τ（ρ）は、複数の指数関数法へのフィット、または、所定の流れ分布の確率分布関数へのフィットを用いて、ステップ３３０において、ρの関数として決定されてもよい。深度依存の流れを決定するために、試料に対する光学的性質μｓ、μａおよびｇが測定可能である。これは、ステップ３５０において、当該技術分野における様々な公知の方法を介して達成され得る。一例示的実施形態において、光学的性質は拡散画像から決定されてもよい（ステップ３４０）。
【００２０】
拡散画像は、時間分解スペックルパターンを合計することによって、および／または最も長い時間積分スペックルパターンを用いることによって得られてもよい。光学パラメータは、拡散反射率分光光度法を用いて再構成されてもよく、ここで拡散反射率プロファイルの動径方向への減衰（ｒａｄｉａｌ  ｄｅｃａｙ）は、光学的性質を収集するために、拡散理論と共に利用されてもよい。さらに、全反射はアルベドを収集するために利用されてもよい。光学的性質の測定に続いて、これらのパラメータおよびτρはモンテカルロ法または拡散理論手順に入力されてもよく、深度の関数としての流速は、フォワードソルーション（ｆｏｒｗａｒｄ  ｓｏｌｕｔｉｏｎ）の手順を用いて、または以前に決定されたモンテカルロ・シミュレーションのルックアップテーブルを用いることによって決定されてもよい（ステップ３６０）。この例示的な手順は、Ｎａｄｋａｒｎｉ，Ｓら、Ｊｏｕｒｎａｌ  ｏｆ  Ｂｉｏｍｅｄｉｃａｌ  Ｏｐｔｉｃｓ  １１（２）：０２１００６において詳細に記載されている。
【００２１】
図４は、本発明に係る時間積分スペックルを用いて、深度分解の速度分布を収集する手順または方法の例示的実施形態を示す。この例示的な時間積分スペックル手順／方法は、時間分解スペックルとは、以下のように異なる。すなわち、（ａ）ステップ４１０において、スペックルパターンはＣＭＯＳカメラまたはＣＣＤカメラの積分時間の関数として得られる。（ｂ）コントラストは、ステップ４２０において各々の画像に対して得られ、その非相関関数は、次いで、ステップ４３０において式１によって決定される。
【００２２】
火傷の深度を推定するためのレーザスペックル分析手順の例示的実施形態の使用は、他の提案された方法よりも優れた利点を有し得る。例えば、測定は、非浸襲的に、および外からの複合物を追加することなくなされることができる。レーザスペックルの観察は、レーザダイオード（レーザポインタ）およびＣＣＤまたはＣＭＯＳカメラなどの単純な光源を用いてもよい。そのような装置は、おそらく非常に安価であり、容易に利用可能である。さらに、これらの例示的な装置は、おそらく非常にサイズが小さく、電池式が可能であり、ペンサイズで手持ち式のプローブとして容易に構成され得る。調査・観察の業界のために開発された小型の電池式ＲＦ送信器がスペックル画像を送信するために用いられてもよいので、無線操作が実装可能である。レーザスペックル分析の費用効率性および可搬性は、この例示的な技術を、例えば重度の火傷を負った患者の管理などに携わる大人数の人員に対して利用可能とすることができる。
【００２３】
（例示的な実施形態の詳細）
本発明に係る装置の一例示的実施形態の略図が図５に示される。本発明に係る手持ち式のレーザスペックル火傷プローブの例示的実施形態の例示的装置は、図５に示されるような装置の例示的実施形態の装置に類似する。
【００２４】
照射。本発明に係るプローブ／装置の例示的実施形態は、試料５２０の照射のための電池式レーザダイオードを含んでもよい。代替的に、または追加として、ヘリウム・ネオンレーザ、固体レーザ、およびＬＥＤなどのレーザ光源が用いられてもよい。光源の一例示的な特徴は、時間コヒーレンスの長さが、火傷による痂皮の深度における高コントラストスペックルパターンを得るのに効果的であり得ることである。結果として、コヒーレンスの長さは、例えば、少なくとも１ｍｍであってもよく、より好ましくは１ｃｍより長くてもよい。別の例示的実施形態において、コヒーレンスの長さは様々であってもよく、スペックルコントラストは、痂皮の層の厚さを決定するために用いられてもよい。さらに別の例示的実施形態において、コヒーレンスの長さは、例えば１ｃｍ未満であってもよく、スペックルの平均および分散がその層の厚さを決定するために用いられてもよい。時間積分のレーザスペックルパターンの画像化のために、カメラの積分時間が固定されたままであったとしても、パルス状のレーザダイオードが積分時間を制御するために利用可能である。この例示的実施形態に対しては、パルス持続時間は積分時間を制御してもよい。さらなる別の例示的実施形態において、検出器上の積分強度が各々の積分時間に対して実質的に一定に維持されるように、レーザの電力はパルス毎に修正されてもよい。
【００２５】
検出器。図５に示されるような本発明に係る装置／プローブ５６０の例示的実施形態において、電池式無線一次元または二次元のＣＣＤまたはＣＭＯＳカメラ５４０がスペックル画像を得るために用いられることができる。カメラ５４０は、例えば、スペックル画像を分析するために、内蔵型または別個のプロセッサ５５０と通信してもよい。代替的に、または追加として、ＲＦ送信器５５０は、例示的な装置／プローブ５６０から離れたプロセッサにビデオデータを送信してもよい。例えば、１秒間に約３０から１０００の画像の範囲のフレーム率が、動的な層の速度の調査のために評価され得る。この例示的な方法において、組織の血液の流れおよび痂皮の深度が推定可能である。別の例示的な実施形態において、異なるパルス持続時間を用いてレーザ（または電磁放射の別の光源）５００をパルスさせることによって、またはカメラ５４０の露出時間を変更させることのいずれかによって、画像は異なる積分時間を用いて取得される。異なる積分時間と同様の強度を維持するために、レーザ５００の電力は、積分電力が、各積分時間に対して実質的に同じであるように修正されてもよい。あるいは、検出器／ＣＣＤ／ＣＭＯＳ（例えばカメラ）５４０の利得は、信号強度が積分時間の各々に対して実質的に類似するように修正されてもよい。
【００２６】
光源検出器の関係。異なる照射波長、光源のコヒーレンスの長さ、光源検出の角度、および光源検出の偏光方位などを含む、様々な例示的なプローブの構成が利用可能である。二次元領域における火傷の深度の推定を再構成するために、複数の位置を用いて視野を照射するための配置構成の例示的実施形態もまた、利用可能である。この例示的な操作を実行することができる不活性な光学素子は、回折格子、多重ビームのビームスプリッタ、ならびにホログラフィック光学素子およびパターン発生器を含むことができる。複数の、同時に照射された別個の位置からの深度データは、その火傷の深度の二次元マップを生成するために補間可能である。例えば、ラップトップ型コンピュータに接続されたＲＦ受信器は、データ取得、画像処理、および火傷の深度の推定の決定のために用いられてもよい。代替的に、または追加として、内蔵型プロセッサが、深度分解の速度分布を再構成するために利用されてもよい。
【００２７】
例示的な画像処理手順。例えば自動閾値決定などを用いて、適合可能な局所的分散の決定などの、静的なスペックルパターンのサイズを決定する画像処理手順の例示的実施形態が利用可能である。非浸襲性の光学的性質の測定は、拡散反射の分光光度法（Ｆａｒｒｅｌｌ，Ｔ．Ｊ．ら、Ｍｅｄ．  Ｐｈｙｓ．  １９：８７９，１９９２に記載される）によって、または、スペックルパターンの確率分布関数の二次統計の決定（Ｔｈｏｍｐｓｏｎ，Ｃ．Ａ．ら、Ａｐｐｌ．  Ｏｐｔ．  ３６：３７２６，１９９７に記載される）によって達成されてもよい。光学的性質の推定と組み合わせた静的なスペックルのサイズは、例えば、痂皮の層の厚さおよび火傷の深度を提供できる。血液の流れの推定量は、フーリエ領域における時間的スペックルパターンの相関手順によって計算可能である。非静的層上の静的層の厚さを収集する手順の例示的な実施形態は、Ｎａｄｋａｒｎｉ，Ｓら、Ｊｏｕｒｎａｌ  ｏｆ  Ｂｉｏｍｅｄｉｃａｌ  Ｏｐｔｉｃｓ  １１（２）：０２１００６に記載される。
【００２８】
（実施例）
時間分解のスペックル測定システムの例示的実施形態は、組織の光学的性質を測定し、深度分解の組織の動きおよび流れを決定するために利用可能な形で提供可能である。通常、時間分解のスペックルは、高価で比較的大きい高速ＣＣＤカメラを使用するので、時間積分システムを用いてこれらの測定を得ることには有利である。時間分解のスペックル画像化の例示的な手順とは対照的に、時間積分のスペックル測定の例示的な手順は、安価で小さい器具構成を用いて実施可能であり、その器具構成を手持ち式装置などの小さな装置に組み込むことも可能である。
【００２９】
時間積分レーザスペックル画像を得るために使用可能である本発明にかかる配置構成の例示的実施形態のブロック図が図６に示される。例えば、偏光したヘリウム−ネオンレーザ（λ＝６３２ｎｍ，４ｍＷ）６００は、光のスループットと露出時間との両方を制御可能なシャッタ６１０を照射する。コヒーレントなレーザ光は、次いで、レンズ６２０によってフォーカスされ、ビームスプリッタ６３０を介して送られてもよい。試料６４０上のフォーカスされた点の直径は、例えば、約１００μｍであってもよい。試料から送られた光は、偏光子６５０および開口部６６０を介して送られ、交差偏光による検出を保証し、検出されたスペックルのサイズを制御する。スペックルパターンは、コンパクトＣＣＤカメラ（例えば、ＪＡＩ−ＣＶ１１、３０ｆｐｓ、６４０×４８０ピクセル）６７０によって検出可能である。時間積分のレーザスペックル測定装置の例示的実施形態は片手に収まる程度に十分に小さく、軽量であってもよい。
【００３０】
例示的な手順は、リアルタイムで一連の時間積分のスペックル画像を自動的に取得し、分析を行うために利用可能である。スペックル画像は、約５．２ｍｓから約２０．２ｍｓの範囲の積分時間に亘って取得されてもよい。例示的な非相関の時定数（例えば、血流速度と反比例する）は、異なる積分時間において得られるスペックル画像におけるコントラストを計算することによって決定されてもよい。図７（ａ）から（ｄ）は、約５ｍｍ／ｓで動く、例示的なテフロン（登録商標）の散乱ファントムから得られることができる一連のスペックル画像を表す。スペックル画像は図７（ａ）から（ｄ）に示され、それぞれ、５．２（７００）ｍｓ、１０．２（７１０）ｍｓ、１５．２（７２０）ｍｓ、および２０．２（７３０）ｍｓの露出時間が提供される。コントラストおよび露出時間は反比例した関係であった。
【００３１】
本発明に係るシステムの例示的実施形態は、速度測定のための時間積分スペックルを有効化するために用いられる。散乱ファントムは、皮膚内に予想される血流量の範囲を概算し得る速度の範囲（例えば、約０．２ｍｍ／ｓから約１０ｍｍ／ｓ）において移動可能である。図８は、実際の速度の関数として、本出願人らの時間積分スペックル装置によって測定された相対速度のグラフ８００を示す。グラフ８００に示される実際の速度は、スケーリング定数によるスペックルパターンの速度とは異なる。時間積分のスペックルパターンによる速度測定とファントムの真なる速度（例えばＲ＝０．９９、ｐ＜０．００１）との間においては直線的な関係が観察できる。これらの結果は、時間積分のスペックルパターンの分析が組織内の血流の速度を収集するために利用可能であることを示してもよい。
【００３２】
このように、例えば、時間積分のＬＳＩを実施する小型のプラットフォームなどの例示的実施形態が提供されることができ、同様のものを提供するシステムの例示的実施形態の概略図が図９に示される。例えば、図９に示されるシステムの例示的実施形態は、レーザダイオード９００、結像光学系、小型のＡＲＭコンピュータ９３０、ＣＭＯＳカメラ９４０、およびリチウムイオンバッテリ９１０を含むことができる。レーザダイオード９００は、例えば、６５０ｎｍにて、約５ｍＷの直線偏光を提供することができる。画像に、異なる積分時間および一定の積分電力を提供するために、レーザダイオード９００のハウジング上のリードに入力されるＴＴＬパルスは電力およびパルス持続期間を制御してもよい。レーザ出力は、レーザハウジング内の小型レンズを介して、組織表面と接触して配置可能な偏光ビームスプリッタ（ＰＢＳ）９５０へ方向付け可能である。組織から送られた光はＰＢＳ９５０を介して通過してもよく、小型のＣＭＯＳカメラ９４０によって画像化されてもよい。
【００３３】
カメラと、パルス積分時間および電力との同期は、小型ＣＰＵ９３０によって提供できる。小型のＣＰＵ９３０は、リアルタイムで実施される全てのレーザのスペックル画像化処理を容易にするために十分な計算能力を有することができる。起動時に、ＣＰＵ９３０は、１ｍｓの増分にて、１ｍｓから３０ｍｓの範囲の積分時間を用いてレーザのスペックル画像を取り込むことができる。画像データは、小型コンピュータ９３０に存在する小型のＳＤカードに保存されてもよい。本発明の一例示的実施形態によれば、ＣＭＯＳカメラ９４０ドライバおよびソフトウェアは、小型のコンピュータ９３０に提供でき、画像が獲得可能である。また、画像データから時間分解の速度プロファイルを再構成し、装置の機械的ハウジングを構成するために、他の例示的な手順を用いることも可能である。さらに、深度依存の流れの分布のマップを提供し得る小さなＬＣＤディスプレイ９７０を組み込むことが可能である。
【００３４】
ＬＳＩからの試料における深度分解の動きを再構成するために利用可能な本発明に係る手順の例示的実施形態は、例えば、壊死性コアの線維性粥腫（ＮＣＦＡ）と呼ばれる特定のタイプの動脈硬化性プラークにおける繊維性被膜の厚さを検出してもよい（Ｎａｄｋａｒｎｉ，Ｓら、Ｊｏｕｒｎａｌ  ｏｆ  Ｂｉｏｍｅｄｉｃａｌ  Ｏｐｔｉｃｓ  １１（２）：０２１００６を参照）。例えば、最も単純な意味においては、ＮＣＦＡは、コラーゲンおよび平滑筋細胞が豊富な、より硬い繊維性の層を有し、脂質残屑および壊死性残屑を含むより低い粘着性のより深いコアを覆う二層化された組織として記載できる。ブラウン運動を考慮すると、繊維層は、壊死性の脂質層（より短い時定数）と比較して、より緩慢な速度のスペックルの非相関（より長い時定数）の影響を及ぼす場合がある。モンテカルロ・シミュレーションおよび拡散理論の研究によれば、光子は組織に深く入り込み、それらは、例えば図２および図１０（ｂ）に示されるように、照射位置からより遠くに送られる可能性が高いことを示した。この効果により、ＮＣＦＡ内において、スペックルの非相関が照射位置からの動径方向距離ρの関数として測定される場合、動径方向に依存する（ｒａｄｉａｌｌｙ−ｄｅｐｅｎｄｅｎｔ）時定数τ（ρ）が観察されてもよい。照射位置の近くにおいて、多くの光子は、硬く、高粘着性の繊維性被膜を横断するのみであり、非相関時間は長くなる。照射位置からさらに離れると、大多数の光子は、より深い低粘度のコアを介して伝播し、それによって、図１０（ａ）および図１０（ｂ）の１０１０および１０２０にそれぞれ示されるように、非相関時間はより短くなる。この時定数の遷移が生じる距離は、ＮＣＦＡの被膜の厚さと相関可能である。
【００３５】
この例示的な効果を証明するために、例示的なセットのＮＣＦＡから得られたＬＳＩデータの時空間的特性を分析することが可能である。各々の一連のスペックル画像に対して、およそプラークの中心にある照射スポットの位置は、手動で配置されてもよい。時間の関数としてのスペックルの非相関曲線は、各々のρの中心にある、正規化された２００μｍ×２００μｍでウィンドウ表示された交差相関を実行することによって、ρの各々の値に対して獲得可能である。時系列における各々のウィンドウは、フーリエ領域において、第１の画像ウィンドウ（ｔ＝０）と相関してもよい。ρの各々の値に対しては、正規化されたスペックルの非相関曲線は、ウィンドウ表示された交差相関の最大値を抽出し、それらをウィンドウ表示された自動相関最大値へと正規化することによって、生成可能である。動径方向分解（ｒａｄｉａｌｌｙ−ｒｅｓｏｌｖｅｄ）の非相関の時定数τ（ρ）は、各々のρに対する非相関の曲線の指数フィッティングによって、および５０μｍの増分においてウィンドウの中心を移動することによって決定されてもよい。このウィンドウは、組織構造（ｈｉｓｔｏｌｏｇｙ）を正確に登録するために、照射スポットからインクのマーク位置へと変形されてもよい。
【００３６】
繊維性被膜の厚さにおける組織の不均質および変動のために、測定されたレーザのスペックルパターンは、不均整である場合がある。すなわち、各々のＮＣＦＡに対する照射位置のいずれかの側に対応し得る、τ（ρ）対ρの２つのグラフが取得可能である。τ（ρ）が照射位置における最大値の半分に入る場合の距離ρ’は、図１０（ａ）に示されるように、決定されてもよい。それゆえ、ρ’よりも短い距離においては、観察されるスペックルパターンは、繊維性被膜内にて、光子の散乱によってその大部分が影響される（図１０（ｂ）を参照）。逆に、ρ’よりも長い距離に対しては、観察されるスペックルパターンは、主に、壊死性のコア内に散乱されることによって影響され得る。
【００３７】
さらに、ρ’の動径方向距離は、ＮＣＦＡの繊維性被膜を介した動径方向分解の最大光子侵入度を推定するための、空間分解の拡散反射率の拡散理論モデルおよび組織内の光輸送のモンテカルロ・モデルを組み合わせることによって、繊維性被膜の厚さに関連付けることができる。組織は、その光学的パラメータによって記載されてもよい。すなわち、吸収係数μａ、散乱係数μｓ、異方性係数ｇ、および空気と組織の屈折率（ｎ＝１．４）。例えば、繊維性組織の光学的性質は、動脈硬化性プラークからの動径方向依存分解の送付物（ｒｅｍｉｔｔａｎｃｅ）を測定することによって、例えば、およそ６３２ｎｍで導き出され、組織学的に繊維性プラークとして確認されることができる。繊維性プラークにおけるコラーゲンの光学的性質が、ＮＣＦＡにおける繊維性被膜の光学的性質と極めて類似し得る場合、繊維性プラークが利用されてもよい。
【００３８】
繊維性プラークの時間依存性のスペックル画像は、上述されるような画像セットアップを用いて取得されてもよい。量子効率およびＣＣＤカメラの利得を考慮すると、プラークから送られ、ＣＣＤセンサによって検出される拡散光子の総数は、は、約２秒間に亘って獲得される、時間平均スペックル画像によって測定されてもよい。繊維性プラークに対する動径方向分解の光子の確率Ｐ（ρ）は、動径ρの異なる環帯に亘って検出される光子の数を合計し、環帯領域およびＣＣＤ検出器の領域に亘って検出される光子の総数を正規化することによって生成可能である。次に、半無限の均一組織の場合のための単一の散乱体拡散モデルから決定される理論的な光子の動径方向確率は、繊維性プラークの光学的性質、μａ、μｓ、およびｇを抽出するために、例示的な最小二乗法の最適化手順を用いて、測定された光子の動径方向確率Ｐ（ρ）にフィッティングされてもよい。
【００３９】
それらの光学的性質が確立される場合、それらは、半無限の均一層を仮定することができるモンテカルロ・モデルに対する入力として用いられてもよい。光子の初期状態は、半無限の層と垂直な入力ビームを含むことができる。複数の稼動が複数の同一または類似のセットの光学的性質と共に実行されてもよく、全体で約５００，０００の光子のパケット軌道が開始されてもよい。送られた光子は、例えば、約２ｍｍの動径距離に亘って集められてもよい。モンテカルロ・シミュレーションの結果から、動径方向分解の最大侵入度は各光子に対して記録されてもよい。距離ρにおいて送られた光子の最大侵入度の分布の平均は、動径方向距離の関数として、平均最大侵入度ｚｍａｘ（ρ）の推定を提供することができる。さらに、各プラークに対して、ρ’は、上述のように時空間的なＬＳＩを介して、およびパラメータｚｍａｘ（ρ’）を得るための、ｚｍａｘ（ρ）のルックアップテーブルへの入力を介して決定されてもよい。各ＮＣＦＡに対して、組み合わされたＬＳＩ−モンテカルロ技術を用いて得られたパラメータｚｍａｘ（ρ’）は、直線回帰分析および対応のあるｔ−検定を用いた組織学によって測定された繊維性被膜の厚さと比較可能である。全ての分析に対して、０．０５より小さいｐ値が、統計的に重要であると見なすことができる。
【００４０】
図１１は、半無限の均一組織に対する拡散モデルから計算された理論的な光子の動径方向確率と比較された繊維性プラークに対して実験的に測定された、光子の動径方向確率Ｐ（ρ）の例示的なグラフ１１００を示す。例示的な光学パラメータは、繊維性プラークの光学的性質、すなわち、吸収係数μａ＝５．３６ｃｍ−１、散乱係数μｓ＝４７０．１４ｃｍ−１、異方性係数ｇ＝０．８の値を生じた実験データに対して、理論曲線をフィッティングさせる、最小二乗法による最適化手順を利用することによって得られてもよい。これらの値は、約６３２ｎｍの波長にて、ヒト大動脈の光学的性質についての以前に公表された結果に対応可能である。
【００４１】
図１２は、動径方向分解の光子侵入深度ｚｍａｘ（ρ）が照射位置から距離ρの関数としてプロットされているモンテカルロ・シミュレーションの例示的結果のグラフ１２００を示す。グラフ１２００は、ｚｍａｘ（ρ）を推定することにおける不確定性が照射位置からの距離とともに増加することを示す。図１３において、ｚｍａｘ（ρ’）対組織構造から測定された平均繊維性被膜の厚さがグラフ１３に提供される。ρ’とそれに対応するパラメータｚｍａｘ（ρ’）の２つの測定が取得可能であり、照射位置の各々の側に１つずつある。それゆえ、１９のＮＣＦＡからの３８回の測定の全てが取得され得る。直線回帰分析は、ＬＳＩ−モンテカルロ技術および繊維性被膜の厚さ（Ｒ＝０．７７、ｐ＜０．０００１）によって測定されたｚｍａｘ（ρ’）間において、強い正の相関を証明した。対応のあるｔ−検定の例示的な結果は、本出願人らのＬＳＩ−モンテカルロ技術を用いてなされたｚｍａｘ（ρ’）の測定と、組織断片（ｐ＝０．２）から測定された繊維性被膜の厚さとの間において、統計学的に有意な差は存在しない可能性が高いことが示され得る。
【００４２】
前述は、単に本発明の原理を示したのみである。記載された実施形態に対しての様々な修正および変更は、本明細書における教示に鑑みて、当業者に対して明らかである。すなわち本発明の例示的な実施形態に係る配置構成、システム、および方法は、撮像システムとともに、ならびに、例えば、２００４年９月８日に出願の国際特許出願第ＰＣＴ／ＵＳ２００４／０２９１４８号明細書、２００５年１１月２日に出願の米国特許出願第１１／２６６，７７９号明細書、および２００４年７月９日に出願の米国特許出願第１０／５０１，２７６号明細書に記載された内容とともに用いられることができ、それらの開示は、本明細書に引用されることでその全体において援用される。当業者は、本明細書において明示的に示されないか、または記載されないけれども、本発明の原理を具現する、多数のシステム、配置構成、および方法を考案することができ、それらは本発明の趣旨および範囲内であることは理解される。さらに、従来技術の知識が上述の本明細書において明示的に引用により援用されていない限りでは、それはその全体において本明細書に援用されている。上述の本明細書において引用された全ての刊行物はその全体において引用されることにより本明細書において援用される。
【図１】
2010503475.tif 000004
【図２】
2010503475.tif 000005
【図３】
2010503475.tif 000006
【図４】
2010503475.tif 000007
【図５】
2010503475.tif 000008
【図６】
2010503475.tif 000009
【図７】
2010503475.tif 000010
【図８】
2010503475.tif 000011
【図９】
2010503475.tif 000012
【図１０】
2010503475.tif 000013
【図１１】
2010503475.tif 000014
【図１２】
2010503475.tif 000015
【図１３】
2010503475.tif 000016
【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
解剖学的構造の少なくとも一部に関する情報を得る装置であって、
少なくとも１つの第１の電磁放射を前記少なくとも一部に送るように構成される、少なくとも１つの第１の配置構成と、
少なくとも１つの試料から少なくとも１つの第２の電磁放射を検出するように構成される少なくとも１つの第２の配置構成であって、前記少なくとも１つの第２の電磁放射は前記少なくとも１つの第１の電磁放射に関連され、前記少なくとも１つの第２の配置構成は、複数の積分時間において、前記少なくとも１つの第２の電磁放射に関連されるデータを得る、少なくとも１つの第２の配置構成と、
前記少なくとも１つの第２の電磁放射を用いて、前記少なくとも一部内の深度の関数として、少なくとも１つの動きの性質を決定するように構成される、少なくとも１つの第３の配置構成であって、前記少なくとも１つの第３の配置構成は、前記少なくとも１つの第２の電磁放射に関連されるデータを得ることによって、前記少なくとも１つの動きの性質を決定し、前記データは前記少なくとも１つの第２の配置構成によって検出されるスペックルデータである、少なくとも１つの第３の配置構成と、
を備える、装置。
【請求項２】
前記データは、前記少なくとも一部のうちの少なくとも一部分の画像である、請求項１に記載の装置。
【請求項３】
前記少なくとも１つの第３の配置構成は、（ｉ）前記データのコントラスト、（ｉｉ）前記積分時間において収集された前記データの少なくとも１つの非相関関数、（ｉｉｉ）前記積分時間において収集された前記データの少なくとも１つの非相関関数の少なくとも１つの時定数、または（ｉｖ）前記データに基づいた前記少なくとも一部の光学的性質、のちの少なくとも１つを決定するようにさらに構成される、請求項１に記載の装置。
【請求項４】
前記コントラストは、前記少なくとも一部上の前記少なくとも１つの第１の電磁放射の接触点からの照射の距離の関数として決定される、請求項３に記載の装置。
【請求項５】
前記少なくとも１つの非相関関数は、前記少なくとも一部上の前記少なくとも１つの第１の電磁放射の接触点からの照射の距離の関数として決定される、請求項３に記載の装置。
【請求項６】
前記少なくとも１つの第３の配置構成は、前記光学的性質の関数として、前記少なくとも一部の少なくとも一部分の少なくとも１つの動きの性質、および前記積分時間において収集された前記データの前記少なくとも１つの非相関関数の時定数を決定するようにさらに構成される、請求項３に記載の装置。
【請求項７】
前記光学的性質は、拡散反射率分光光度法手順を用いて、前記積分時間において収集された前記データに基づいて決定される、請求項３に記載の装置。
【請求項８】
前記少なくとも１つの第１の配置構成は、前記少なくとも１つの第１の電磁放射の、少なくとも１つの可変パルス持続時間または可変電力を提供するようにさらに構成される、請求項１に記載の装置。
【請求項９】
前記少なくとも１つの第２の配置構成は、前記少なくとも１つの第２の電磁放射を検出するために、少なくとも１つの可変シャッタ、可変積分時間、または可変の利得を提供するようにさらに構成される、請求項１に記載の装置。
【請求項１０】
前記少なくとも１つの第１の配置構成または前記少なくとも１つの第２の配置構成のうちの少なくとも１つと協動するように構成されるシャッタ構成をさらに備え、当該シャッタ構成は、（ｉ）前記少なくとも１つの第１の配置構成と前記少なくとも一部との間、または（ｉｉ）前記少なくとも一部と前記少なくとも１つの第２の配置構成との間、のうちのいずれかに提供される、請求項１に記載の装置。
【請求項１１】
前記少なくとも１つの第２の電磁放射を用いて、前記試料から交差偏光された光を検出するように構成された偏光の配置構成をさらに備える、請求項１に記載の装置。
【請求項１２】
前記少なくとも一部上において、複数の位置を照射するために、前記少なくとも１つの第１の電磁放射を受け取り、複数の第３の電磁放射を生成するように構成された、少なくとも１つの第４の配置構成をさらに備え、
前記少なくとも１つの第２の配置構成は、前記第３の電磁放射に基づいて、前記少なくとも１つの試料から前記少なくとも１つの第２の電磁放射を検出するように構成され、
前記少なくとも１つの第３の配置構成は、前記少なくとも１つの第２の電磁放射の関数としての前記少なくとも一部の複数の位置に対する、深度の関数としての複数の動きの性質を決定するようにさらに構成される、請求項１に記載の装置。
【請求項１３】
前記少なくとも１つの第３の配置構成は、前記動きの性質の関数として、前記少なくとも一部の少なくとも１つの画像を生成するようにさらに構成される、請求項１に記載の装置。
【請求項１４】
前記少なくとも１つの第３の配置構成は、モンテカルロの手順、拡散方程式の手順、または確率分散関数の手順のうちの少なくとも１つを用いて、前記少なくとも１つの動きの性質に関連付けられた前記少なくとも一部の深度を決定するようにさらに構成される、請求項６に記載の装置。
【請求項１５】
前記第１、第２、および第３の配置構成は、一体型の手持ち式ユニットにおいて提供される、請求項１に記載の装置。
【請求項１６】
解剖学的構造の少なくとも一部に関する情報を得る装置であって、
少なくとも１つの第１の電磁放射を前記少なくとも一部に送るように構成される、少なくとも１つの第１の配置構成と、
少なくとも１つの試料から少なくとも１つの第２の電磁放射を検出するように構成される少なくとも１つの第２の配置構成であって、前記少なくとも１つの第２の電磁放射は前記少なくとも１つの第１の電磁放射に関連される、少なくとも１つの第２の配置構成と、
前記少なくとも１つの第２の電磁放射を用いて、前記少なくとも一部内の深度の関数として、少なくとも１つの動きの性質を決定するように構成される、少なくとも１つの第３の配置構成であって、前記少なくとも１つの第３の配置構成は、前記少なくとも１つの第２の電磁放射に関連されるデータを得ることによって、前記少なくとも１つの動きの性質を決定し、前記データは前記少なくとも１つの第２の配置構成によって検出されるスペックルデータであり、前記少なくとも１つの第３の配置構成は、前記データに基づいて、前記少なくとも一部の光学的性質を決定するようにさらに構成される、少なくとも１つの第３の配置構成と、
を備える、装置。
【請求項１７】
解剖学的構造の少なくとも一部に関する情報を得る装置であって、
少なくとも１つの第１の電磁放射を前記少なくとも一部に送るように構成される、少なくとも１つの第１の配置構成と、
少なくとも１つの試料から少なくとも１つの第２の電磁放射を検出するように構成される少なくとも１つの第２の配置構成であって、前記少なくとも１つの第２の電磁放射は前記少なくとも１つの第１の電磁放射に関連される、少なくとも１つの第２の配置構成と、
前記少なくとも１つの第２の電磁放射を用いて、前記少なくとも一部内の深度の関数として、少なくとも１つの動きの性質を決定するように構成される、少なくとも１つの第３の配置構成であって、前記少なくとも１つの第３の配置構成は、前記少なくとも１つの第２の電磁放射に関連されるデータを得ることによって、前記少なくとも１つの動きの性質を決定し、前記データは前記少なくとも１つの第２の配置構成によって検出されるスペックルデータである、少なくとも１つの第３の配置構成と、
前記少なくとも一部上において、複数の位置を照射するために、前記少なくとも１つの第１の電磁放射を受け取り、複数の第３の電磁放射を生成するように構成された、少なくとも１つの第４の配置構成をさらに備え、前記少なくとも１つの第２の配置構成は、前記第３の電磁放射に基づいて、前記少なくとも１つの試料から前記少なくとも１つの第２の電磁放射を検出するように構成され、前記少なくとも１つの第３の配置構成は、前記少なくとも１つの第２の電磁放射の関数としての前記少なくとも一部の複数の位置に対する、深度の関数としての複数の動きの性質を決定するようにさらに構成される、少なくとも１つの第４の配置構成と、
を備える、装置。
【国際調査報告】
2010503475.tif 000017
2010503475.tif 000018
2010503475.tif 000019